(57)【特許請求の範囲】
【請求項１】
正逆押釦を有するケース及びカバーと、該カバーの挿入孔に圧入保持した釦パッキンと、該釦パッキンで覆われた前記正逆押釦のインターロック機構を構成するインターロック板と、前記正逆押釦と一体の可動接触子を有する可動体と、前記可動接触子に対向して基台に設けた固定接触子と、前記可動体の正転用、逆転用の押釦を突出する操作孔を有する押え部材とよりなる開閉器において、前記ケースの底面に設けた手の掌が配置可能な凹状部を有し、該凹状部の上部のケース内底部にケースと一体に設けた前記基台に前記インターロック板と、該インターロック板の両側上部に前記可動体を配置し、前記押え部材を前記基台に固定し、前記正転用、逆転用の押釦及び前記押え部材の上部を前記釦パッキンで覆うと共に前記ケース上部を前記カバーで閉鎖した正逆押釦開閉器。
【請求項２】
前記釦パッキンは、該釦パッキンの押釦部の円周下部に形成したＵ字状のパッキン凹部と、該パッキン凹部の外周に該パッキン凹部と反対方向に開放したスリットを介して形成した円形外周部と、前記パッキン凹部内に前記釦パッキンの中心内方に突出形成した円周突部とからなり、前記カバーの挿入孔の内面円周部に設けた円周状のパッキン挿入溝に、前記円周突部と前記円形外周部を圧入した請求項１記載の正逆押釦開閉器。
【発明の詳細な説明】
【０００１】
【発明が属する技術分野】
本発明は、ホイスト、クレーン等の正逆運転制御に使用されるインターロック付の正逆押釦開閉器に関するものである。
【０００２】
【従来の技術】
従来の正逆押釦開閉器は図１１〜図１４に示す如く、１はケース、２はカバー、３はインターロック機構を有する開閉器ユニットでケース１内に固定され、４、４は押釦で開閉器ユニット３に設けられ、押釦４、４はケース１より突出し押釦４、４の押圧動作により開閉器ユニット３の接点を正逆開閉動作する。この構造であると、開閉器ユニット３のユニットケース５及びユニットカバー６内にインターロック機構部及び開閉接点機構部を組立た後、開閉器ユニット３を正逆押釦開閉器のケース１とカバー２内に固定する構造のため正逆押釦開閉器のケース１及びカバー２に加えて開閉器ユニット３のユニットケース５及びユニットカバー６を必要とし、図１３に示す如く正逆押釦開閉器の高さ寸法Ａ及び幅寸法Ｂが大きくなり、押釦部を把握して押釦操作する際に操作性に問題があり、図１４に示す如く開閉器ユニット３にインターロック機構及び開閉接点機構部を組立た後に開閉器ユニット３をケース１及びカバー２内に組込むため、部品点数及び組立て工数が多くなる問題点があった。
【０００３】
【発明が解決しようとする課題】
本発明は、正逆押釦開閉器の押釦操作把握部の小型化を実現して操作性を改善すると共に、部品点数及び組立て工数を削減してコストダウンを計るものである。
【０００４】
【発明が解決するための手段】
本発明は、正逆押釦開閉器のケース底部を凹状部にし、該凹状部の上部のケース内底部に接点開閉機構部及びインターロック機構部を有する基台をケースと一体に形成し、該基台に設置した接点開閉機構部及びインターロック機構部部を押さえる押え部材よりなる正逆押釦開閉器。
【０００５】
本発明の押釦部の防水構造は、カバーのパッキン挿入溝に釦パッキンの円形外周部を圧入して、カバーに釦パッキンの保持機能を持たせた正逆押釦開閉器。
【発明の作用】
本発明は、正逆押釦開閉器のケース底部に凹状部を形成すると共に、該ケースと一体に接点開閉機構部及びインターロック機構部の基台を構成することで、押釦把握部の小型と部品点数の削減になると共に操作性の改善となり、防水機能を持つ釦パッキンをカバーに圧入保持できるので、組立工数の削減となる。
【０００６】
【実施例】
図１〜図６に基づいて説明すると、２０は正逆押釦開閉器、２１はケースで底面に凹状部２３を有し、２２はカバー、２４は基台でケース２１と一体に凹状部２３の内側底面部に設けられ、２５は正転用の押釦、２６は逆転用の押釦、正逆の押釦２５、２６は基台２４の挿入溝２７、２７に挿入され、２９はインターロック板で基台２４の軸支凹部２８、２８にインターロック板２９の軸部３０、３０が回動自在に軸支され、正逆押釦２５、２６の押圧下面にインターロック板２９の左右が位置し、２個の正逆押釦２５、２６の一方を押圧した時は他方の押釦は押圧できないようにインターロック構造となっている。
【０００７】
３１、３２は復帰バネで押釦２５、２６の底面と基台２４の上面間の挿入溝２７、２７内に設置され、３３、３４は可動接触子で押釦２５、２６と一体の可動体３５、３６にバネ３７、３８と共に設置され、３９、４０は固定接触子で可動接触子３３、３４に対向して基台２４上にネジで固定され、４１は共通固定接触子で可動接触子３３、３４に対向して基台２４にネジで固定されている。
【０００８】
４２は押え部材で操作孔４３、４４を有し、正逆押釦２５、２６が操作孔４３、４４を突出して基台２４上にネジ４２Ａ、４２Ａで固定され、接点開閉機構部を固定保持している。４５は釦パッキンでカバー２２の挿入孔２２Ａ、２２Ｂに挿入されてカバー２２に保持すると共に、押釦２５、２６を覆い防水機能を持っている。
【０００９】
釦パッキン４５は図７、図８、図９に示す如く、押釦部４６Ａ、４６Ｂの円周下部にＵ字状のパッキン凹部４６Ｃを形成し、パッキン凹部４６Ｃの外周にスリット４６Ｄを介して円形外周部４６Ｅを形成し、パッキン凹部４６Ｃ内に釦パッキン４５の中心内方に突出した円周突部４６Ｆを形成している。釦パッキン４５のカバー２２への防水、保持構造は、カバー２２の挿入孔２２Ａ、２２Ｂの内面円周部に円周状のパッキン挿入溝２２Ｃを形成し、該パッキン挿入溝２２Ｃに釦パッキン４５の円形外周部４６Ｅを圧入し、釦パッキン４５の円周突部４６Ｆがカバー２２のパッキン挿入溝２２Ｃへの圧入で、押釦２５、２６の防水機能及び釦パッキン４５のカバー２２への保持機能を持っている。
【００１０】
正逆押釦開閉器２０の組立方法を図６に基づいて説明すると、ケース２１の基台２４の挿入溝２７、２７に復帰バネ３１、３２を挿入し、インターロック板２９の軸部３０、３０を基台２４の挿入凹部２８、２８に装着し、固定接触子３９、４０及び共通固定接触子４１を基台２４上にネジで固定し、次に可動接触子３３、３４及びバネ３３、３４を装着した押釦２５、２６の可動体３５、３６を挿入溝２７、２７に挿入した後に、押え部材４２をネジ４２Ａ、４２Ａで基台２４に固定して接点開閉機構部が固定され、さらに釦パッキン４５の押釦部４６Ａ、４６Ｂをカバー２２の挿入孔２２Ａ、２２Ｂに装着保持したカバー２２をケース２１に４個のネジ２１Ａで結合固定して組立が完了する。
【００１１】
正逆押釦開閉器２０の操作方法を図１０に基づいて説明すると、押釦２５、２６を操作する
手の掌にケース２１の凹状部２３を位置させて把握して、親指で押釦２５、２６を押圧操作が可能となり、把握した手で正逆押釦開閉器２０の凹状部２３を把握することで正逆押釦開閉器２０を操作する手に確実に固定でき、操作し易い構造となっている。
【００１２】
本発明の正逆押釦開閉器は、正逆の押釦を押圧操作する時に正逆押釦開閉器を手で把握するケース底部に凹状部を設け、該凹状部のケース内底部に接点開閉機構部を有する基台をケースと一体に設けたので、正逆押釦開閉器の把握部が小型にでき、操作時の手による把握が確実となり操作性の優れたものが得られ、部品の簡素化によりコストダウンの効果がある。
本発明の押釦部の防水構造は、釦パッキンのパッキン挿入部に設けた円周突部をカバーの保持凹部に圧入保持して防水機能を持たせると共に、ケースとカバーの組立時にカバーに釦パッキンを保持した状態で組立が迅速に出来る効果がある。
【図面の簡単な説明】
【図１】本発明に係る正逆押釦開閉器の正面図
【図２】本発明に係る正逆押釦開閉器の左側面図
【図３】本発明に係る正逆押釦開閉器の正面図のＡ−Ａ断面図
【図４】本発明に係る正逆押釦開閉器の正面図のＢ−Ｂ断面図
【図５】本発明に係る正逆押釦開閉器の斜視図
【図６】本発明に係る正逆押釦開閉器の分解斜視図
【図７】本発明に係る釦パッキンの正面図
【図８】本発明に係る釦パッキンの正面図のＣ−Ｃ断面図
【図９】本発明に係る釦パッキンの防水構造を説明する要部の断面図
【図１０】本発明に係る正逆押釦開閉器を操作する手で把握した状態を示す図
【図１１】従来の正逆押釦開閉器の正面図
【図１２】従来の正逆押釦開閉器の正面図のＤ−Ｄ要部断面図
【図１３】従来の正逆押釦開閉器の正面図のＥ−Ｅ要部断面図
【図１４】従来の正逆押釦開閉器の分解斜視図
【符号の説明】
１              ケース
２              カバー
３              開閉器ユニット
４、４          押釦
５              ユニットケース
６              ユニットカバー
２０            正逆押釦開閉器
２１            ケース
２２            カバー
２２Ａ、２２Ｂ  挿入孔
２２Ｃ          パッキン挿入溝
２３            凹状部
２４            基台
２５            正転用の押釦
２６            逆転用の押釦
２７、２７      挿入溝
２８、２８      軸支凹部
２９            インターロック板
３０、３０      軸部
３１、３２      復帰バネ
３３、３４      可動接触子
３５、３６      可動体
３７、３８      バネ
３９、４０      固定接触子
４１            共通固定接触子
４２            押え部材
４２Ａ、４２Ａ  ネジ
４３、４４      操作孔
４５            釦パッキン
４６Ａ、４６Ｂ  押釦部
４６Ｃ          パッキン凹部
４６Ｄ          スリット
４６Ｅ          円形外周部
４６Ｆ          円周突部
【図１】
0003751900.tif 000002
【図２】
0003751900.tif 000003
【図３】
0003751900.tif 000004
【図４】
0003751900.tif 000005
【図５】
0003751900.tif 000006
【図６】
0003751900.tif 000007
【図７】
0003751900.tif 000008
【図８】
0003751900.tif 000009
【図９】
0003751900.tif 000010
【図１０】
0003751900.tif 000011
【図１１】
0003751900.tif 000012
【図１２】
0003751900.tif 000013
【図１３】
0003751900.tif 000014
【図１４】
0003751900.tif 000015